(57)【要約】【課題】  次々と移送されてくる袋体の方向にバラツキがあっても、確実に一定方向に揃えて送り出すことができる袋体搬送装置における整列機構を提供すること。【解決手段】  袋体Ｐが載置されるテーブル部材１の上面には多数の通気孔11・11…が開設されており、これらの通気孔からエアを噴出することによって当該袋体Ｐを浮上せしめることができる一方、当該テーブル部材１の上面にはコンベアベルト２が摺動可能に配設され、かつ、このコンベアベルト２の表面には複数のプッシャー凸部21・21…が略等間隔に形成されているとともに、このコンベアベルト２に両側傍に並行してガイド壁材３・３がそれぞれ立設されており、かつ、前記コンベアベルト２の下流側において、これらガイド壁材３・３が平行する規制部31が形成されている。【選択図】  図１
0003138697.tif 000002
【実用新案登録請求の範囲】
【請求項１】
袋体Ｐを搬送する装置において、所定の移送手段Ｔから移送されてきた袋体Ｐの方向を一定に揃えて整列して送り出す機構であって、
前記袋体Ｐが載置されるテーブル部材１の上面には多数の通気孔11・11…が開設されており、これらの通気孔からエアを噴出することによって当該袋体Ｐを浮上せしめることができる一方、
当該テーブル部材１の上面にはコンベアベルト２が摺動可能に配設され、かつ、このコンベアベルト２の表面には複数のプッシャー凸部21・21…が略等間隔に形成されているとともに、
このコンベアベルト２に両側傍に並行してガイド壁材３・３がそれぞれ立設されており、かつ、前記コンベアベルト２の下流側において、これらガイド壁材３・３が平行する規制部31が形成されており、
前記搬送手段Ｔから前記テーブル部材１上に袋体Ｐが移載され、前記ガイド壁材３とコンベアベルト２における前後のプッシャー凸部21・21により囲まれた領域内に収容され、
当該コンベアベルト２の移動によって当該袋体Ｐが規制部31内に移送されて袋体Ｐの遊動が規制され、かつ、プッシャー凸部21が袋体Ｐの辺縁を押動することによって袋体Ｐを同一方向に揃えて整列して順次送り出すことができることを特徴とする袋体搬送装置における整列機構。
【請求項２】
コンベアベルト２が間欠運動することを特徴とする請求項１記載の袋体搬送装置における整列機構。
【請求項３】
一対のコンベアベルト２・２が並行的に配設され、各コンベアベルト２のプッシャー凸部21が袋体Ｐの端部近傍をそれぞれ押動することを特徴とする請求項１または２記載の袋体搬送装置における整列機構。
【請求項４】
テーブル部材１の上面におけるガイド板３・３の規制部31の境界線に、コンベアベルト２のプッシャー凸部21が一旦停止することを特徴とする請求項１〜３の何れか一つに記載の袋体搬送装置における整列機構。
【請求項５】
コンベアベルト２のプッシャー凸部21の間隔が袋体Ｐの長辺よりも小さいことを特徴とする請求項１〜４の何れか一つに記載の袋体搬送装置における整列機構。
【請求項６】
テーブル部材１の上面における規制部31の境界線から排出口12側にかけて、通気孔11が形成されていないことを特徴とする請求項１〜５の何れか一つに記載の袋体搬送装置における整列機構。
【請求項７】
テーブル部材１の搬入口にセンサー４が配設されており、袋体Ｐの搬入を検知してコンベアベルト２を駆動させることを特徴とする請求項１〜６の何れか一つに記載の袋体搬送装置における整列機構。
【請求項８】
内容物を出し入れするための口部材ｅが設けられている袋体Ｐが移送されることを特徴とする請求項１〜７の何れか一つに記載の袋体搬送装置における整列機構。
【考案の詳細な説明】
【技術分野】
【０００１】
本考案は、袋体搬送装置の改良、更に詳しくは、次々と移送されてくる袋体の方向にバラツキがあっても、確実に一定方向に揃えて送り出すことができる袋体搬送装置における整列機構に関するものである。
【背景技術】
【０００２】
周知のとおり、食品や医薬品などの液体や流動体を収容する容器として袋体（パウチ）が用いられており、かかる袋体は軟質で形態が不安定であるという特殊性から、運搬の取り扱いが困難である。
【０００３】
従来、袋体の搬送装置にあっては、袋体を移送させるための機構にベルトコンベアが多く用いられていたため、袋体の方向が乱れたまま移送されてしまい、下流において箱詰め作業などをする際に、向きが不揃いでうまく捌けないという不都合があった。
【０００４】
そこで、従来の搬送装置において、袋体の方向を揃えて移送するための供給コンベアーが開示されている（例えば、特許文献１参照）。
【０００５】
しかしながら、かかる供給コンベアー装置にあっては、コンベアベルトの駆動のみによって袋体が移送されるため、コンベアベルトに引っ掛かったりして、誤って案内板に乗り上げてしまったり、また、所定方向から９０度ズレた状態で移送されてしまうおそれがあり、特に、医療用の点滴などの口付きの袋体にあっては、方向が不揃いであるとうまく箱詰め作業ができないという問題があった。
【特許文献１】特開２００６−１１１２８０号公報（第３−４頁、図１−２）
【考案の開示】
【考案が解決しようとする課題】
【０００６】
本考案は、従来の袋体搬送装置に上記のような問題があったことに鑑みて為されたものであり、その目的とするところは、次々と移送されてくる袋体の方向にバラツキがあっても、確実に一定方向に揃えて送り出すことができる袋体搬送装置における整列機構を提供することにある。
【課題を解決するための手段】
【０００７】
本考案者が上記課題を解決するために採用した手段を添付図面を参照して説明すれば次のとおりである。
【０００８】
即ち、本考案は、袋体Ｐを搬送する装置において、所定の移送手段Ｔから移送されてきた袋体Ｐの方向を一定に揃えて整列して送り出す機構であって、
前記袋体Ｐが載置されるテーブル部材１の上面には多数の通気孔11・11…が開設されており、これらの通気孔からエアを噴出することによって当該袋体Ｐを浮上せしめることができる一方、
当該テーブル部材１の上面にはコンベアベルト２が摺動可能に配設され、かつ、このコンベアベルト２の表面には複数のプッシャー凸部21・21…が略等間隔に形成されているとともに、
このコンベアベルト２に両側傍に並行してガイド壁材３・３がそれぞれ立設されており、かつ、前記コンベアベルト２の下流側において、これらガイド壁材３・３が平行する規制部31が形成されており、
前記搬送手段Ｔから前記テーブル部材１上に袋体Ｐが移載され、前記ガイド壁材３とコンベアベルト２における前後のプッシャー凸部21・21により囲まれた領域内に収容され、
当該コンベアベルト２の移動によって当該袋体Ｐが規制部31内に移送されて袋体Ｐの遊動が規制され、かつ、プッシャー凸部21が袋体Ｐの辺縁を押動することによって袋体Ｐを同一方向に揃えて整列して順次送り出すことができるようにするという技術的手段を採用することによって、袋体搬送装置における整列機構を完成させた。
【０００９】
また、本考案は、上記課題を解決するために、必要に応じて上記手段に加え、コンベアベルト２が間欠運動するようにするという技術的手段を採用した。
【００１０】
更にまた、本考案は、上記課題を解決するために、必要に応じて上記手段に加え、一対のコンベアベルト２・２が並行的に配設し、各コンベアベルト２のプッシャー凸部21を袋体Ｐの端部近傍をそれぞれ押動するようにするという技術的手段を採用した。
【００１１】
更にまた、本考案は、上記課題を解決するために、必要に応じて上記手段に加え、テーブル部材１の上面におけるガイド板３・３の規制部31の境界線に、コンベアベルト２のプッシャー凸部21が一旦停止するようにするという技術的手段を採用した。
【００１２】
更にまた、本考案は、上記課題を解決するために、必要に応じて上記手段に加え、コンベアベルト２のプッシャー凸部21の間隔を袋体Ｐの長辺よりも小さくするという技術的手段を採用した。
【００１３】
更にまた、本考案は、上記課題を解決するために、必要に応じて上記手段に加え、テーブル部材１の上面における規制部31の境界線から排出口12側にかけて、通気孔11を形成しないという技術的手段を採用した。
【００１４】
更にまた、本考案は、上記課題を解決するために、必要に応じて上記手段に加え、テーブル部材１の搬入口にセンサー４を配設して、袋体Ｐの搬入を検知してコンベアベルト２を駆動させるという技術的手段を採用した。
【００１５】
更にまた、本考案は、上記課題を解決するために、必要に応じて上記手段に加え、内容物を出し入れするための口部材ｅが設けられている袋体Ｐを移送するという技術的手段を採用した。
【考案の効果】
【００１６】
本考案にあっては、袋体が載置されるテーブル部材の上面には多数の通気孔を開設し、これらの通気孔からエアを噴出することによって当該袋体を浮上せしめることができる一方、当該テーブル部材の上面にはコンベアベルトを摺動可能に配設して、かつ、このコンベアベルトの表面には複数のプッシャー凸部を略等間隔に形成するとともに、このコンベアベルトに両側傍に並行してガイド壁材をそれぞれ立設して、かつ、前記コンベアベルトの下流側において、これらガイド壁材が平行となる規制部を形成したことによって、前記搬送手段から前記テーブル部材上に袋体を移載して、前記ガイド壁材とコンベアベルトにおける前後のプッシャー凸部により囲まれた領域内に収容し、当該コンベアベルトの移動によって当該袋体が規制部内に移送されて袋体の遊動を規制して、かつ、プッシャー凸部が袋体の辺縁を押動することによって袋体を同一方向に揃えて整列して順次送り出すことができる。
【００１７】
したがって、本考案の整列機構を使用することにより、次々と移送されてくる袋体の方向にバラツキがあっても、確実に一定方向に揃えて送り出すことができることから、袋体搬送装置における実用的利用価値は頗る高いと云える。
【考案を実施するための最良の形態】
【００１８】
本考案を実施するための最良の形態を具体的に図示した図面に基づいて更に詳細に説明すると、次のとおりである。
【００１９】
本考案の実施形態を図１から図８に基づいて説明する。図１中、符号１で指示するものはテーブル部材であり、このテーブル部材１は、上面に多数の通気孔11・11…が開設されており、これらの通気孔からエアを噴出することができる。
また、符号２で指示するものはコンベアベルトであり、このコンベアベルト２の表面には複数のプッシャー凸部21・21…が略等間隔に形成されている。
【００２０】
更にまた、符号３で指示するものはガイド壁材であり、このガイド壁材３は前記コンベアベルト２の両側傍にそれぞれ立設されており、かつ、前記コンベアベルト２の下流側において、これらガイド壁材３・３が平行となる規制部31が形成されている。
【００２１】
しかして、本考案は、袋体Ｐを搬送する装置において、所定の移送手段Ｔから移送されてきた袋体Ｐの方向を一定に揃えて整列して送り出す機構であって、その構成および移送手順について以下に説明する。なお、本実施形態において移送する袋体Ｐとしては、内容物を出し入れするための口部材ｅが設けられているような、方向性が重要であるものが特に適している。
【００２２】
まず、前記袋体Ｐが載置されるテーブル部材１の上面に開設した多数の通気孔11・11…から高圧エアを噴出する。このテーブル部材１は、所謂「エアテーブル」であって、この高圧エアによって当該袋体Ｐを浮上せしめることができ、袋体Ｐの摩擦抵抗をなくしてスムースにテーブル上を移動させることができる。この際、通気孔11の口径および間隔、エア圧などは常法を採用する。
【００２３】
そして、当該テーブル部材１の上面における長手方向にはコンベアベルト２が摺動可能に配設されている。このコンベアベルト２は、弾性ゴム製であって表面には複数のプッシャー凸部21・21…が略等間隔かつ垂直方向に形成されており、本実施形態では、一対のコンベアベルト２・２を並行的に配設して、各コンベアベルト２のプッシャー凸部21が袋体Ｐの端部近傍をそれぞれ押動することができる（図２参照）。
【００２４】
また、このコンベアベルト２の両側傍に並行してガイド壁材３・３がそれぞれ立設されている。本実施形態では、Ｌ字型の金属製部材をテーブル部材１の上面に固定して構成しており（図３参照）、適宜移設も可能である。そして、前記コンベアベルト２の上流側においては、これらガイド壁材３・３はハの字型などやや広めの間隔で配設されているが、下流側になるにしたがって間隔が逓減していき、やがてこれらガイド壁材３・３が平行になって規制部31が形成されている。
【００２５】
本考案の機構を用いて具体的な移送手順を図４から図７に基づいて以下に説明する。まず、図４に示すように、前工程を経た袋体Ｐを搬送してくるコンベアなどの搬送手段Ｔからテーブル部材１上に袋体Ｐが移載される。本実施形態では、搬送手段Ｔはコンベアベルト２の上流側におけるベルト進行方向の前方に設置して袋体を供給できるように構成されているが、側方から供給できるように設置しても良い。
【００２６】
こうして搬送手段Ｔから供給された袋体Ｐは、前記ガイド壁材３とコンベアベルト２における前後のプッシャー凸部21・21により囲まれた領域内に収容される。この際、コンベアベルト２のプッシャー凸部21の間隔を袋体Ｐの長辺よりも小さくすることができ、袋体Ｐの回転を防止することができる。
【００２７】
次いで、図５に示すように、袋体Ｐが載置されると、コンベアベルト２を駆動するとともに、次の袋体Ｐを先程の位置に載置する。本実施形態では、コンベアベルト２を間欠運動させることによって袋体Ｐを前後のプッシャー凸部21・21間に確実に収容することができる。
【００２８】
また、特に、コンベアベルト２を間欠運動させる際には、テーブル部材１の上面におけるガイド板３・３の規制部31の境界線に、コンベアベルト２のプッシャー凸部21が一旦停止するようにすることが好ましく、規制部31内によって上下運動が抑制されて収容されることによって確実に位置決めされてから、最終的に袋体Ｐを押動して排出することができる。
【００２９】
更に、図６に示すように、載置された袋体を順次移送するとともに、同様にして新たな袋体Ｐを載置していく。この際、各袋体Ｐはプッシャー凸部21・21間に収容されるとともに、ガイド壁材３・３の間隔が次第に狭くなっていくので、その間に的確に誘導することができる。
【００３０】
そして、図７に示すように、コンベアベルト２の移動によって当該袋体Ｐが規制部31内に移送されて袋体Ｐの遊動が規制され、かつ、プッシャー凸部21が袋体Ｐの辺縁を押動する。
【００３１】
このようにすることによって袋体Ｐを同一方向に揃えて整列して順次送り出すことができ、排出口12側に設置した箱詰めなどの作業を整然と行うことができるのである。
【００３２】
本考案は、概ね上記のように構成されるが、本考案は図示の実施形態に限定されるものでは決してなく、「実用新案登録請求の範囲」の記載内において種々の変更が可能であって、例えば、図８に示すように、テーブル部材１の上面における規制部31の境界線から排出口12側にかけて、通気孔11を形成しないようにすることができ、移送工程の最終段階では上面の摩擦抵抗を付与することによってプッシャー凸部21に確実に当接させて押動することができるとともに、無駄なエア噴射を抑えることもできる。
【００３３】
また、図９に示すように、テーブル部材１の搬入口においてセンサー４を配設することができ、袋体Ｐの搬入を検知してコンベアベルト２を駆動させることによって、袋体Ｐが同じ領域に重複して収容されるのを防止することもでき、これら何れのものも本考案の技術的範囲に属する。
【図面の簡単な説明】
【００３４】
【図１】本考案の実施形態の整列機構を表わす説明上面図である。
【図２】本考案の実施形態の整列機構を表わす説明側面断面図である。
【図３】本考案の実施形態の整列機構を表わす説明正面断面図である。
【図４】本考案の実施形態の整列機構の使用状態を表わす説明上面図である。
【図５】本考案の実施形態の整列機構の使用状態を表わす説明上面図である。
【図６】本考案の実施形態の整列機構の使用状態を表わす説明上面図である。
【図７】本考案の実施形態の整列機構の使用状態を表わす説明上面図である。
【図８】本考案の実施形態の整列機構の変形例を表わす説明上面図である。
【図９】本考案の実施形態の整列機構の変形例を表わす説明上面図である。
【符号の説明】
【００３５】
１    テーブル部材
11    通気孔
12    排出口
２    コンベアベルト
21    プッシャー凸部
３    ガイド壁材
31    規制部
４    センサー
Ｐ    袋体
ｅ    口部材
Ｔ    移送手段
【図１】
0003138697.tif 000003
【図２】
0003138697.tif 000004
【図３】
0003138697.tif 000005
【図４】
0003138697.tif 000006
【図５】
0003138697.tif 000007
【図６】
0003138697.tif 000008
【図７】
0003138697.tif 000009
【図８】
0003138697.tif 000010
【図９】
0003138697.tif 000011